(57)【特許請求の範囲】
【請求項１】
少なくとも嫌気性濾床槽の第一室と第二室、及び後段に設けられる処理槽とが設けられる浄化槽の、濾材受け部材と濾材押え部材との間に、濾材を充填して濾床を形成する浄化槽内の嫌気性濾床槽において、
前記濾床が、前記浄化槽底部から架台、濾材受け部材、濾材、濾材押え部材及び該濾材押え部材を上側から係止する係止部材の順に載置され、且つ、前記係止部材と前記浄化槽底部に設けたリブとを固定する支持部材によって形成され、
前記リブは、前記第一室、第二室、さらには後段に設けられる処理槽へと向かう方向に、細長い板状に形成され、
前記係止部材は、前記リブの形成された方向と略直交方向に配置されることを特徴とする浄化槽内の嫌気性濾床槽。
【請求項２】
濾材受け部材と濾材押え部材との間に、濾材を充填して濾床を形成する浄化槽内の嫌気性濾床槽において、
前記濾床が、前記浄化槽底部から架台、濾材受け部材、濾材、濾材押え部材及び該濾材押え部材を上側から係止する係止部材の順に載置され、且つ、前記係止部材と前記浄化槽底部に設けたリブとを固定する支持部材によって形成され、
前記濾材受け部材と濾材押え部材とは、何れも略長方形に形成されており、且つ、長手方向と短手方向が同じ向きに載置され、
前記リブは、前記濾材受け部材の短手方向と略平行に、細長い板状に形成され、
前記係止部材は、前記濾材押え部材の長手方向と略平行に配置されることを特徴とする浄化槽内の嫌気性濾床槽。
【発明の詳細な説明】
【０００１】
【発明の属する技術分野】
本発明は、浄化槽に適用され、特に浄化槽内に設けた濾材を充填して形成される嫌気性濾床槽に関する。
【０００２】
【従来の技術】
従来、浄化槽の嫌気性濾床槽に濾材を充填して形成される濾床構造としては、実開平４−４１９９９号公報に開示されているように、上下の網状部材間に濾材が挟装されるようにして充填された濾床ブロックを前に浄化槽底部から立設する架台に載置して固定する方法が知られている。
【０００３】
また、前記したような濾材が充填された濾床ブロックを上下で係止するようにした板状部材を浄化槽の側壁にねじにより固定する方法も知られている。なお前記の固定においては、ねじの頭が突出した側壁の外面をＦＲＰ（繊維強化プラスチック）等の合成樹脂を用いてオーバレイを施して漏水を防止している。
【０００４】
【発明が解決しようとする課題】
しかしながら、浄化槽は長時間使用していくと、上下の網状部材間に充填された濾材に汚泥が蓄積され、また嫌気的生物分解が行われて、ガスが発生するようになる。このような場合、前記した実開平４−４１９９９号公報に示されているような構造では、架台が浄化槽に固定されていないために、発生したガスにより、濾材に浮力が生じて濾材を充填した濾床ブロックが架台とともに浮上してしまうという課題があった。
【０００５】
また、後者の方法による構造では、上下の板状部材をねじで側壁に固定する必要があるため、側壁からの漏水防止のためにオーバレイを施さなければならないので、作業性に劣るという課題があった。更に、前記した構造の場合、たとえオーバレイを施しても側壁のねじ固定部分が破損して、側壁から槽内水が漏水してしまうという課題もあった。
本発明は、上記したような課題に鑑みてなされたもので、濾材の浮上及び漏水を防止し、且つ作業性に優れた浄化槽を提供することを目的とする。
【０００６】
【課題を解決するための手段】
本発明の請求項１は、図１及び図２に示すように、少なくとも嫌気性濾床槽の第一室３と第二室５、及び後段に設けられる処理槽とが設けられる浄化槽１の、濾材受け部材１３と濾材押え部材１５との間に、濾材２１を充填して濾床９を形成する浄化槽１内の嫌気性濾床槽において、前記濾床９が、前記浄化槽１底部から架台１１、濾材受け部材１３、濾材２１、濾材押え部材１５及び該濾材押え部材１５を上側から係止する係止部材１９の順に載置され、且つ、前記係止部材１９と前記浄化槽１底部に設けたリブ２３とを固定する支持部材１７によって形成され、リブ２３は、第一室３、第二室５、さらには後段に設けられる処理槽へと向かう方向に、細長い板状に形成され、係止部材１９は、リブ２３の形成された方向と略直交方向に配置される。
また、本発明の請求項２は、図１及び図２に示すように、濾材受け部材１３と濾材押え部材１５との間に、濾材２１を充填して濾床９を形成する浄化槽１内の嫌気性濾床槽において、前記濾床９が、前記浄化槽１底部から架台１１、濾材受け部材１３、濾材２１、濾材押え部材１５及び該濾材押え部材１５を上側から係止する係止部材１９の順に載置され、且つ、前記係止部材１９と前記浄化槽１底部に設けたリブ２３とを固定する支持部材１７によって形成され、濾材受け部材１３と濾材押え部材１５とは、何れも略長方形に形成されており、且つ、長手方向と短手方向が同じ向きに載置され、リブ２３は、濾材受け部材１３の短手方向と略平行に、細長い板状に形成され、係止部材１９は、濾材押え部材１３の長手方向と略平行に配置される。
【０００７】
即ち、請求項１は、支持部材１７の上端部１７ａが係止部材１９と固定され、また下端部１７ｂが浄化槽１内の底部に設けられたリブ２３と固定して、濾材受け部材１３、濾材押え部材１５、あるいは濾材２１の浮上を防止するものである。そして、従来のように浄化槽１の側壁とねじ止めをしていないから、漏水がなくオーバレイの必要もないので、作業性に優れる。
【０００８】
【発明の実施の形態】
以下、図を参照しながら本発明の実施の形態を説明する。図１に示すように、浄化槽１は、ＦＲＰ等の合成樹脂によって形成され、地中に埋設されて用いられる。浄化槽1は、少なくとも嫌気性濾床槽の第一室３と、嫌気性濾床槽の第二室５とが設けられている。前記第一室３は、浄化槽１の側壁２と仕切り板７ａとにより、また前記第二室５は、仕切り板７ａと仕切り板７ｂとによって仕切られて、形成されている。この浄化槽１は、トイレのし尿のみ、またはトイレ、厨房、浴槽等の合併排水を処理するものであり、前記排水は、第一室３に入り、以降図中矢印で示すように、第二室５、さらには後段に設けられる処理槽を経て処理された後、排出される（図示省略）。
【０００９】
また、図２に示すように、第一室３内には、濾床９が設けられ、該濾床９に濾床２１が充填されている。そして、濾床９は、架台１１と、濾材受け部材１３と、濾材押え部材１５と、係止部材１９及び支持部材１７とで構成される。一方、第一室３の底壁４の内側には、リブ２３が浄化槽１と一体に形成されている。
【００１０】
濾材２１は、合成樹脂によって網様円筒状に形成されており、該濾材２１に付着する嫌気性あるいは通性嫌気性微生物によって、排水中の有機性汚濁物質を分解するとともに、微細浮遊物を捕捉して排水を清浄化する。なお、濾材２１の形状は、これに限定されるものではなく、通水抵抗が小さく、且つ、微生物の付着できる場、即ち比表面積の大きい形状のものが用いられる。また、濾材２１の比重は、特に限定されるものではない。
【００１１】
架台１１は、第一室３内の濾材受け部材１３の下側に設けられ、載置部１１ａと支持管１１ｂとで構成されている。載置部１１ａは、第一室３の平面形状に合わせてループ状に略長方形をなし、管状の部材に継手管１１ｃを介して構成されている。継手管１１ｃは載置部１１ａの四隅近傍に位置しており、この継手管１１ｃを介して載置部１１ａの脚となる支持管１１ｂがそれぞれ接続されている。なお、上記した載置部１１ａ、支持管１１ｂを構成する材料は、特に限定しないが、例えば、塩化ビニール等の合成樹脂のパイプを用いるのが好ましい。
【００１２】
濾材受け部材１３は、架台１１上に載置され、枠体１３ａと、網状部材１３ｂとが一体で形成されたものが、用いられる。枠体１３ａは、載置部１１ａの形状に沿ってループ状に略長方形に形成されており、この枠体１３ａが架台１１上に載置されるようにして、また枠体１３ａの内側の網状部材１３ｂには、濾材２１が通過できない網目が設けられている。この濾材受け部材１３の上には、前記した濾材２１が充填され、充填された濾材２１の上に濾材押え部材１５が載置されている。なお、濾材受け部材１３の略中央の位置には、濾材受け部材１３を補強する補強部材１３ｃが取り付けられている。
【００１３】
濾材押え部材１５は、濾材２１を上から押えており、前記の濾材受け部材１３と略同一の構成をなしている。また、濾材押え部材１５は、後述する係止部材１９により、その上面を押さえられており、上方への移動が規制されている。
【００１４】
リブ２３は、第一室３の底壁４の内側から上方に突出しており、図1に示すように、第一室３内の側壁２の近傍から、仕切り板７ａの近傍に亘って形成され、細長い板状をなしている。また、リブ２３は濾材受け部材１３の短手方向と略平行に、間隔をおいて二つ形成されている。これらリブ２３、２３は、後述する支持部材１７の下端部１７ｂを固定するために設けられており、第一室３の底壁４と一体となっている。
【００１５】
支持部材１７は、リブ２３と後述する係止部材１９とをつないで支持するものであり、本実施の形態では、四本の各支持部材１７が、リブ２３、２３と係止部材１９、１９とに取り付けられている。この支持部材１７には、断面がＬ字形を有しているアングルを用いている。そして、支持部材１７の下端部１７ｂは、図１の（ｂ）に示すように、ボルト２５とナット２７とをリブ２３に締結することにより、リブ２３に固定されている。また、支持部材１７の上端部１７ａは、後述する係止部材１９に固定されている。なお、図１の（ｂ）及び（ａ）では、支持部材１７をアングルについて示しているが、管であっても用いることができる。また、支持部材１７の材料については、特に限定しないが、ＦＲＰ又は塩化ビニール等の合成樹脂を使用するのが好ましい。
【００１６】
係止部材１９は、濾材押え部材１５の上側の表面を押さえており、濾材押え部材１５の長手方向と略平行に二本配置されている。係止部材１９は、断面が略L字型のアングルにより構成され、略L字型の一面は、濾材押え部材１５を押さえており、略L字型の他面は、支持部材１７の上端部１７ａと当接している。この当接している上端部１７aと係止部材１９とは、図１の（ａ）に示すように、ボルト２５とナット２７とで締結されており、支持部材１７の上端部１７ａを係止部材１９に固定している。
【００１７】
このように、支持部材１７は、係止部材１９，１９とで容易に固定することができ、また、係止部材１９，１９を濾材押え部材１５の長手方向に係止させるので、濾材押え部材１５を安定して押さえることができる。
【００１８】
一方、嫌気性濾床槽の第二室５内の濾床９aは、前記した第一室３内の濾床９と同様の構造で形成され、且つ、浄化槽１底部に設けられたリブ２３aと固定されるので、説明を省略する。
【００１９】
次に、上記した構成に基づいて本実施の形態の作用を説明する。浄化槽１に流入管から流入した排水は、第一室３内を流れ、濾床９を通るとき、濾材２１に付着する微生物によって清浄化される。清浄化された排水は第二室５内に流入し、第一室３と同様の過程を経て、更に清浄化される。
【００２０】
このようにして、排水は清浄化されるが、浄化槽１を長期間使用していくと、有機性汚濁物質の分解によってガスが発生し、このガスによって濾床９に浮力が発生する。しかし、支持部材１７の下端部１７ｂは、リブ２３に固定されているので、濾床９の浮上を防止することができる。また、従来のように浄化槽１の側壁にねじ止めをしていないから、漏水しにくく、オーバレイの必要もないので、作業性が向上する。
【００２１】
なお、本実施の形態においては、固定手段としてボルト２５とナット２７とを使用しているが、これに限定されない。例えば、支持部材１７の下端部をフック状に形成し、リブ２３の代りにフックを引っかける半円状の引っかけ部材を設けて、この引っかけ部材にフックを引っかける構成にしても良い。また、ボルト２５とナット２７の代りに、リベット等を使用しても良い。
【００２２】
更に、本実施の形態では、支持部材１７と係止部材１９とをアングルで構成したが、これらの部材を管で構成しても良いし、どちらか一方を管で構成し、他方をアングルで構成しても良い。
【００２３】
また、本実施の形態では、リブ２３を二つ設けたが、これに限定されるものではなく、例えば、一つであっても、また、三つ以上設けても良い。同様に、係止部材１９や支持部材１７の本数も、単数であっても良いし、本実施の形態に示されている本数以外の本数であっても良い。
【００２４】
更に、本発明は、嫌気性濾床槽に適用したが、これに限定されず、例えば、接触ばっ気槽等に適用しても良い。
【００２５】
【発明の効果】
本発明では、嫌気性濾床槽に設置する濾床を、濾材受け部材、濾材、濾材押え部材等により構成し、濾材押え部材の上側に係止部材を配置し、係止部材を支持部材に固定し、支持部材の下端部を、浄化槽内の底部に設けたリブと、固定するので、濾材の浮上及び漏水を防止し、作業性に優れた嫌気性濾床槽を提供できる。
【図面の簡単な説明】
【図１】本発明の浄化槽を示す断面図で、（ａ）は支持部材の上端部近傍を拡大した断面図であり、（ｂ）は支持部材の下端部近傍を拡大し、図中横からみた横断面図である。
【図２】第一室を透過して示す斜視図である。
【符号の説明】
１．浄化槽、２．側壁、３．第一室、４．底壁（底部）５．第二室、７ａ．７ｂ．仕切り板、９．９ａ．濾材充填部、１１．架台、１１ａ．載置部、１１ｂ．支持管、１３．濾材受け部材、１３ａ．枠体、１３ｂ．網状部材、１３ｃ．補強部材、１５．濾材押え部材、１７．支持部材、１７ａ．上端部、１７ｂ．下端部、１９．係止部材、２１．濾材、２３．２３ａ．リブ、２５．ボルト（固定手段）、２７．ナット（固定手段）
【図１】
0004223093.tif 000002
【図２】
0004223093.tif 000003